(57)【特許請求の範囲】
【請求項１】
板材からなる蓋開け器であって、
板面が円弧状に曲げられてなる円弧状部と、該円弧状部の両端から連続して延びる相対する２つの延設部とを備え、
少なくとも一方の延設部は、板面が捩じられて板側縁が他方の延設部を向いた捩れ部を有し、該捩れ部の板側縁に、容器のねじ式キャップを他方の延設部と共に挟持して回転させるために該キャップの外周面に当接させる当接部が形成されていることを特徴とする容器の蓋開け器。
【請求項２】
上記捩れ部の板側縁には、切欠き部が形成され、該切欠き部の両端の角張った部位が上記当接部に形成されていることを特徴とする請求項１記載の容器の蓋開け器。
【請求項３】
上記２つの延設部各々に、上記板側縁による当接部が形成されていることを特徴とする請求項１又は２記載の容器の蓋開け器。
【請求項４】
上記２つの延設部には、各々の上記板側縁による当接部が互いに対向するように形成されていることを特徴とする請求項３記載の容器の蓋開け器。
【請求項５】
上記両延設部の先端側には、板面が互いに相手側の延設部を向いた相対するグリップ部が設けられていることを特徴とする請求項１ないし４のいずれか１つに記載の容器の蓋開け器。
【請求項６】
上記両延設部の少なくとも一方のグリップ部は、その先端部が、内側又は外側に曲げられ、プルタブ付き栓を開けるための、該プルタブに掛けるプルタブ掛けに形成されていることを特徴とする請求項５記載の容器の蓋開け器。
【請求項７】
上記両延設部の少なくとも一方のグリップ部の先端に、プルトップ式容器を開けるための、プルタブに掛けるプルタブ掛けが形成されていることを特徴とする請求項５に記載の容器の蓋開け器。
【請求項８】
上記両延設部の一方のグリップ部は、その先端部が、内側又は外側に曲げられて、プルタブ付き栓を開けるための、該プルタブに掛けるプルタブ掛けに形成され、
上記両延設部の他方のグリップ部の先端に、プルトップ式容器を開けるための、プルタブに掛けるプルタブ掛けが形成されていることを特徴とする請求項５に記載の容器の蓋開け器。
【請求項９】
上記円弧状部の内周面に、キャップを回転させるために、該キャップの外周面に巻き掛ける巻掛け部が形成されていることを特徴とする請求項１ないし８のいずれか１つに記載の容器の蓋開け器。
【請求項１０】
上記円弧状部には、その曲率半径が小さくなるように変形させるために要する力を小さくする強度軽減部が設けられていることを特徴とする請求項１ないし９のいずれか１つに記載の容器の蓋開け器。
【請求項１１】
一方のグリップ部の先端には、該グリップ部を栓抜きとして用いるための、王冠型口がねの縁に係合する係合部が設けられていることを特徴とする請求項１ないし１０のいずれか１つに記載の容器の蓋開け器。
【請求項１２】
上記円弧状部には、該円弧状部を栓抜きとして用いるための、王冠型口がねの縁に係合する係合部が設けられていることを特徴とする請求項１ないし１１のいずれか１つに記載の容器の蓋開け器。
【発明の詳細な説明】
【技術分野】
【０００１】
本発明は、ジュ−ス及びドリンク剤等のねじ式キャップを容易に開けることができる蓋開け器に関し、更には缶ビ−ル、缶ジュ−ス等のプルトップ缶の蓋開け、或いは調味料ボトル等の中栓を容易に開けることができる蓋開け器に関するものである。
【背景技術】
【０００２】
缶ビ−ル、缶ジュ−ス等の飲料缶についてはプルトップ形式が多く採用されているが、これらのプルトップ缶は幼児、老人、病人等の指先の弱い人については開けずらく、また爪が薄く弱い人、或いはマニキュアを塗っている女性等についても指先を痛める等の理由から敬遠されている。【０００３】
一方、ジュ−スやドリンク剤等を詰めたペットボトル、ビン類についてはねじ式キャップが広く用いられており、開けるためにはねじ式キャップを挾持して回転させる必要があり、指或いは握力を十分に加えないと開けられないことがある。力の弱い老人や子供等では、開けれないことがしばしば生じている。【０００４】
そのために、プルトップやねじ式キャップに適用する各種の蓋開け器が知られている。【０００５】
例えば、特許文献１には、板材をリング状に曲げたリング部と、このリング部の両端より外方へ延びる一対の相対する把持部とを有し、一方の把持部にフック部を形成してなる蓋開け器が記載されている。瓶からねじ式キャップを外すときは、リング部をキャップに巻き付け、両突出部を把持力を加えてリング部をキャップに締付け、その状態で両突出部に回転力を加えることにより、キャップを回転させる。プルトップ式の缶を開けるときは、一方の突出部のフック部をプルタブに掛け、その突出部の先端を支点として、てこの原理でプルタブを引き上げる。【０００６】
特許文献２には、Ｕ字状折返し部で繋がって略平行に延びる一対の長板部の中間に相対する半円部が形成され、両長板部の先端にフック部が形成されてなる蓋開け器が記載されている。ねじ式キャップを開けるときは、相対する長板部の半円部でねじ式キャップを挟持し、プルトップ式の缶を開けるときは、フック部をプルタブに掛ける。
【先行技術文献】
【特許文献】
【０００７】
【特許文献１】実用新案登録第３０８１４７２号公報
【特許文献２】実用新案登録第３０５７２５１号公報
【発明の概要】
【発明が解決しようとする課題】
【０００８】
特許文献1に示すものでは、リング部をねじ式キャップの外周に巻掛けて回した場合に、リング部内周面が、キャップの外周面に対して滑ってしまい、キャップを回すことができないおそれがある。【０００９】
また、特許文献２に示すものでは、一対の半円部でねじ式キャップを挟持するようにしており、この特許文献２でも、特許文献1と同じように、半円部の内周面が、キャップの外周に対して滑ってしまい、キャップを回すことができないおそれがある。【００１０】
特に、特許文献１及び２とも、リング部或いは半円部をキャップ外周面に面接触させるので、接触圧力が低くなり、把持力がキャップに十分に働かずに、リング部或いは半円部がキャップ外周面を滑ってしまい、ねじ式キャップを回転できない結果となり易い。【００１１】
そこで本発明は、製造容易性、良好な操作性を具備し、ねじ式キャップを簡単に回して開けることができる蓋開け器を提供する。
【課題を解決するための手段】
【００１２】
本発明は、上記の問題点を解決するために、板材よりなる蓋開け器を、キャップ外周面に対して板面で面接触させるのではなく、キャップ外周面の少なくとも一部に板側縁で接触させることにより、軽い力でも高い接触圧力を得て、蓋開け器がキャップ外周面を滑り難くしたことを特徴とする。【００１３】
上記課題を解決する手段は、板材からなる蓋開け器であって、
板面が円弧状に曲げられてなる円弧状部と、該円弧状部の両端から連続して延びる相対する２つの延設部とを備え、
少なくとも一方の延設部は、板面が捩じられて板側縁が他方の延設部を向いた捩れ部を有し、該捩れ部の板側縁に、容器のねじ式キャップを他方の延設部と共に挟持して回転させるために該キャップの外周面に当接させる当接部が形成されていることを特徴とする。【００１４】
従って、ねじ式キャップを板側縁による当接部によって高い接触圧力で挟持することができ、蓋開け器がキャップ外周面を滑り難くなり、軽い力でも、キャップを確実に回転させて開けることができる。【００１５】
好ましい実施形態では、上記捩れ部の板側縁には、切欠き部が形成され、該切欠き部の両端の角張った部位が上記当接部に形成されている。これによれば、当接部が角張っているため、蓋開け器がキャップ外周面を滑り難くなり、該キャップを軽い力で且つ確実に回転させて開けることができる。【００１６】
好ましい実施形態では、上記２つの延設部各々に、上記板側縁による当接部が形成されている。これによれば、蓋開け器がキャップ外周面を滑ることを更に確実に防止することができ、該キャップを軽い力で且つ確実に回転させて開ける上で有利になる。【００１７】
好ましい実施形態では、上記２つの延設部には、各々の上記板側縁による当接部が互いに対向するように形成されている。これによれば、蓋開け器がキャップ外周面を滑ることを防止する上でさらに有利になる。【００１８】
好ましい実施形態では、上記両延設部の先端側には、板面が互いに相手側の延設部を向いた相対するグリップ部が設けられている。これによれば、蓋開け器を握りやすくなり、グリップ部に軽い力を加えるだけで、キャップを高い接触圧力で挟持することができ、操作性に優れる。【００１９】
好ましい実施形態では、上記両延設部の少なくとも一方のグリップ部は、その先端部が、内側又は外側に曲げられ、プルタブ付き栓を開けるための、該プルタブに掛けるプルタブ掛けに形成されている。これによれば、プルタブ付き栓を開けることも容易になる。【００２０】
好ましい実施形態では、上記両延設部の少なくとも一方のグリップ部の先端に、プルトップ式容器を開けるための、プルタブに掛けるプルタブ掛けが形成されている。これによれば、プルトップ式容器を開けることも容易になる。【００２１】
好ましい実施形態では、上記両延設部の一方のグリップ部は、その先端部が、内側又は外側に曲げられて、プルタブ付き栓を開けるための、該プルタブに掛けるプルタブ掛けに形成され、
上記両延設部の他方のグリップ部の先端に、プルトップ式容器を開けるための、プルタブに掛けるプルタブ掛けが形成されている。【００２２】
これによれば、プルタブ付き栓やプルトップ式容器を開けることも容易になる。【００２３】
好ましい実施形態では、上記円弧状部の内周面に、キャップを回転させるために、該キャップの外周面に巻き掛ける巻掛け部が形成されている。これによれば、延設部だけでなく、円弧状部もねじ式キャップを開けるために使用することができ、様々なキャップを開ける上で有利になる。【００２４】
好ましい実施形態では、上記円弧状部には、その曲率半径が小さくなるように変形させるために要する力を小さくする強度軽減部が設けられている。これによれば、力の弱い老人や子供でも簡単に操作してねじ式キャップを開けることができる。【００２５】
好ましい実施形態では、一方のグリップ部の先端には、該グリップ部を栓抜きとして用いるための、王冠型口がねの縁に係合する係合部が設けられている。これによれば、グリップ部を栓抜きとして用いることができ、汎用性が高くなる。【００２６】
好ましい実施形態では、上記円弧状部には、該円弧状部を栓抜きとして用いるための、王冠型口がねの縁に係合する係合部が設けられている。これによれば、円弧状部を栓抜きとして用いることができ、汎用性が高くなる。
【発明の効果】
【００２７】
本発明によれば、板材からなる蓋開け器が、板面が円弧状に曲げられてなる円弧状部と、該円弧状部の両端から連続して延びる相対する２つの延設部とを備え、少なくとも一方の延設部は、板面が捩じられて板側縁が他方の延設部を向いた捩れ部を有し、該捩れ部の板側縁に、容器のねじ式キャップを他方の延設部と共に挟持して回転させるために該キャップの外周面に当接させる当接部が形成されているから、ねじ式キャップを高い接触圧力で挟持することができ、蓋開け器がキャップ外周面を滑り難くなり、軽い力でも、キャップを確実に回転させて開けることができる。
【図面の簡単な説明】
【００２８】
【図１】本発明の実施形態１に係る蓋開け器を示す斜視図である。
【図２】実施形態１に係わる蓋開け器の側面図を示す。
【図３】実施形態１に係わる蓋開け器の使用状態を説明する説明図である。
【図４】図３の部分拡大平面図を示す。
【図５】実施形態１に係わる蓋開け器の別の使用状態を説明する説明図である。
【図６】実施形態１に係わる蓋開け器のさらに別の使用状態を説明する説明図である。
【図７】実施形態１の蓋開け器を成形する前の板材の状態を示す。
【図８】実施形態１の蓋開け器の製造工程を示す。
【図９】本発明の実施形態２に係る蓋開け器を示す正面図である。
【図１０】本発明の実施形態３に係る蓋開け器を示す斜視図である。
【図１１】本発明の実施形態４に係る蓋開け器を示す斜視図である。
【図１２】本発明の実施形態５に係る蓋開け器を示す斜視図である。
【図１３】本発明の実施形態６に係る蓋開け器を示す斜視図である。
【図１４】本発明の実施形態７に係る蓋開け器を示す斜視図である。
【図１５】本発明の実施形態８に係る蓋開け器を示す部分正面図である。
【図１６】本発明の実施形態９に係る蓋開け器を示す斜視図である。
【図１７】実施形態９に係わる蓋開け器の使用状態を説明する説明図である。
【図１８】本発明の実施形態１０に係る蓋開け器を示す斜視図である。
【図１９】実施形態１０に係わる蓋開け器の使用状態を説明する説明図である。
【図２０】本発明の実施形態１１に係る蓋開け器を示す斜視図である。
【図２１】実施形態１１に係わる蓋開け器の使用状態を説明する説明図である。
【図２２】他の実施形態を示す蓋開け器の部分側面図を示す。
【発明を実施するための形態】
【００２９】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００３０】
本発明では、板材からなる蓋開け器に捩れ部を設けて、板側縁部を当接部としてキャップを挟持するから、蓋開け器がキャップ外周面を滑り難くなり、キャップを簡単に回転させて緩めることができる。なお、捩れ部及び当接部は２つの延設部各々に設けることが好ましいが、一方でも構わない。更に、蓋開け器に、プルタブ付き栓やプルトップ式容器を開けるためのプルタブ掛け、さらには栓抜き部を設けると、蓋開け器の汎用性型が高くなるので便利である。
【００３１】
また、本発明では、両側の延設部の開閉に適当な弾性と硬さを持たせることが好ましく、そのためには、円弧状部から延設部先端までの長さは、６０ｍｍ〜１５０ｍｍ程度が適当である。蓋開け器の板厚は、０．３ｍｍ〜１．５ｍｍ、板幅は５ｍｍ〜２０ｍｍの範囲で、キャップの大きさ、主たる使用者の性別、年齢などに応じて適宜設定すればよい。
【００３２】
（実施形態１）
図１は、実施形態１に係わる蓋開け器の斜視図を示す。図２は実施形態１に係わる蓋開け器の側面図を示す。図３〜図６は、図１の蓋開け器の使用状態を説明する説明図である。図７は、図１の蓋開け器を成形する前の板材の状態を示し、図８は蓋開け器の製造工程を示す。
【００３３】
蓋開け器１は、好ましくは、ステンレス、鉄材、アルミ材等の金属製であり、板厚が約１．５ｍｍであり、板幅が１０ｍｍの板材から形成される。図１及び図２に示すように、板材は、その中間部分において、板面が湾曲するように曲げられて、外周面２ａと内周面２ｂとを有する直径約２４ｍｍの円弧状部２に形成されている。この円弧状部２は、その内周面２ｂがねじ式キャップの外周面に接触して、ねじ式キャップを回転させて開けるための第１開栓部（キャップオープナー）１１を構成している。蓋開け器１は、第１開栓部１１（円弧状部２）の両端から連続して延びる２つの延設部３，３を備えている。延設部３，３には、第１開栓部１１に続いて、板面３ａ，３ｂが該第１開栓部１１の板面に対して、互いに逆方向に約９０゜捩じられてなる捩れ部４，４が形成されている。捩れ部４，４は互いの内側の板側縁４ａが向き合うように形成されている。捩れ部４，４は約４０ｍｍの長さからなり、捩れ部４，４の内側の板側縁４ａには、直径２５ｍｍ程度の略円弧状の切欠き部５が形成されている。切欠き部５の両端が、すなわち、切欠き部５とその両側の板側縁４ａとの境界部が、角張った当接部６，６に形成されている。この当接部６，６が、ねじ式キャップの外周面に接触して、ねじ式キャップを回転させて開けるための第２開栓部１２を構成している。この第２開栓部１２については、後で詳細に説明する。
【００３４】
延設部３は、捩れ部４に続く先端側が、捩れ部４とは逆方向に約９０゜捩じり戻されてグリップ部７となっている。一方のグリップ部７の先端側は、外側に約９０゜曲げられてプルタブ付き中栓用開栓部１３を構成している。他方のグリップ部７の先端側は曲げられることなくそのまま延ばされて、プルトップ用開栓部１４を構成している。なお、中栓用開栓部１３及びプルトップ用開栓部１４のどちらも、先端側はプルタブに挿入しやすいように、丸く形成されている。プルトップ用開栓部１４には、孔部８が設けられ、紐等を通して吊り下げられるようになっている。
【００３５】
次に、蓋開け器１の使用状態を図３〜図６に基づいて説明する。
【００３６】
図３及び図４に示すように、ジュ−ス或いはドリンク剤など主として液体を詰めたビンＢ１のねじ式キャップＣ１を回転して開ける場合には、第２開栓部１２を構成する当接部６，６の間にねじ式キャップＣ１が位置するように、当接部６，６を持ってくる。そして、グリップ部７，７を握って、４ヶ所の当接部６をねじ式キャップＣ１の外周面に接触させる。
【００３７】
通常では、ペットボトル等のねじキャップＣ１は、直径が約２８ｍｍ程度であり、切欠き部５の直径は約２５ｍｍであるので、切欠き部５の内周面がねじ式キャップＣ１の外周面に接触するのではなく、４ヶ所の当接部６がキャップ外周面に当接することとなる。その結果、４つの当接部６がエッジのようになって、ねじ式キャップＣ１を周囲から高い把持することになるので、蓋開け器１を回転させた際に４つの当接部６がキャップ外周面を滑ることなく、ねじ式キャップＣ１を回転させることができる。特に、捩れ部４を設けて、捩れ部４の板側縁４ａに当接部６を形成したので、グリップ部７，７を軽い力で把持しても、当接部６のねじ式キャップＣ１の外周面に対する接触圧力が高くなり、滑りを生ずることなく、ねじ式キャップＣ１の外周面を確実を挟持して該キャップＣ１を回転させることができる。
【００３８】
実施形態１では、当接部６が４ヶ所であるが、４ヶ所に限定されるものではなく、３ヶ所であっても、或いは４ヶ所よりも多くてもよい。なお、当接部６は偶数箇所にして、両側の捩れ部４，４の当接部６，６を対向する位置関係にすると、ねじ式キャップＣ１を挟持した際に変形させにくいので、回転させやすく有利である。即ち、４ヶ所の当接部６をねじ式キャップＣ１の中心に対して対称位置に設けると、ねじ式キャップＣ１を挟持した際に、キャップＣ１に対して両側から略均等な力が加わるので、また、キャップＣ１が変形し難くなるので、回転させやすくなり軽い力で操作できる。
【００３９】
特に、当接部６は、滑らかな面になっているよりも、エッジのように角張っている方がキャップＣ１を挟持する上で好ましい。蓋開け器１を手に握って操作する際に、図３に示すように、捩れ部４の先端側のグリップ部７を握ってもよいが、捩れ部４の外側を手に握って操作してもよい。
【００４０】
缶ビ−ル、ジュ−ス等の飲料缶等のプルトップ缶を開ける場合を図５に基づいて説明する。蓋開け器１のプルトップ用開栓部１４を缶Ｂ２のプルタブＣ２の孔部Ｃ２１に挿入し、捩れ部４を押し下げる方向（図５において時計方向）に動かす。この操作によって、缶Ｂ２の縁に支えられているグリップ部７の途中部分を支点としてプルトップ用開栓部１４が持ち上げられてプルタブＣ２が引き上げられ、缶が開けられる。このように、簡単に且つ軽い力でプルタブＣ２を引き上げ、缶を開けることができる。なお、蓋開け器１のプルトップ用開栓部１４を缶Ｂ２のプルタブＣ２の孔部Ｃ２１に挿入し、捩れ部４を押し上げる方向（図５において反時計方向）に動かして、テコの原理を使わずに、プルタブＣ２を引き上げることで缶を開けるようにしてもよい。
【００４１】
調味料等のボトルのように、キャップに加えて、中栓があるタイプの場合について、図６に基づいて説明する。図６に示すように、調味料等のボトルＢ３に設けられているプルタブ付き中栓Ｃ３を開ける場合には、孔部Ｃ３１に指を挿入して引き上げる代わりに、蓋開け器１のグリップ部７の先端に形成した中栓用開栓部１３を孔部Ｃ３１に挿入して、引っ張るようにして中栓Ｃ３を開ける。この場合でも、指を孔部Ｃ３１に突っ込む必要が無く、爪を損傷したりすることも無く、開栓操作できる。なお、中栓用開栓部１３の折り曲げ角度は、この実施形態の構造に限られるものではなく、用途に応じて適切に設定すればよい。
【００４２】
円弧状の第１開栓部１１は、第２開栓部１２の使用時には、てこの支点として機能するが、ねじ式キャップを回転させて開けることにも使用することができる。この場合には、第１開栓部１１をねじ式キャップに巻掛け、延設部３，３（グリップ部７，７）を把持して第１開栓部１１をキャップ外周面に締付け、その状態で蓋開け器１を回転させればよい。第１開栓部１１の内周面には、滑り止め用の凹凸を形成すると更に好ましい。
【００４３】
グリップ部７を握って操作する際の握り力の強さは、蓋開け器１の材質や厚さ等を調整することで可能である。なお、この握り力の強さを弱めたい場合には、例えば、第１開栓部１１に、周方向に延びるスリットを設けて、曲がり易くしてもよい。このスリットは、幅方向中央でも、片側、両側に設けてもよい。更に、このスリットを形成した際の切り起こし部分或いは端部を、当接部６を角張らせることと同じく、摩擦力を高める（接触圧力を高める）ために、キャップの外周面に当接する突出部として形成してもよい。逆に、上記握り力の強さを強めたい場合には、スリットではなく、第１開栓部１１に周方向に延びるリブを設けてもよい。
【００４４】
この実施形態１では延設部３，３の先端部同士が開口（先端部同士が別々に分断されており、一体に繋がってないことを開口と表現している）しているので、延設部３，３の先端部同士の間隔を広げたり狭めたりすることも簡単に調整可能であり、この調整によって、第２開栓部１２，１２には、例えば２７〜４０ｍｍの直径のキャップを挟んで開けることができる。なお、２５ｍｍよりも小さい直径のキャップを挟んで回転させたい場合には、切欠き部５の直径を小さくしたものを用意するようにしてもよい。
【００４５】
次に、図７及び図８に基づいて、蓋開け器１の製造方法を説明する。所定の厚さで、所定幅の細長い板材を用意する。次に、板材中央部から両側に離れた２ヶ所に切欠き部５を形成し、グリップ部７となる部分の先端部分を丸く形成する。一方のグリップ部７に孔部８を開ける。この状態まで成形できてから、板材全体が略Ｕ字状になるように、板材中央部分を約１５０°の回転角度で湾曲させ、板面が円弧状になった第１開栓部１１を形成する。第１開栓部１１の両端から延びる延設部３の途中を、第１開栓部１１の板面に対して約９０゜捩じって捩れ部４を形成する。捩れ部４に続く延設部３の先端側部分を更に元の方向に捩じり戻してグリップ部７を形成する。更に、一方のグリップ部７の先端を外側に折り曲げて、中栓用開栓部１３を形成する。
【００４６】
なお、この製造工程は、１例であって、本発明の製造工程を限定するものではない。
【００４７】
なお、グリップ部７として、捩れ部４から元の方向に捩じり戻しているが、同じ方向に捩じってもよい。更には、ねじり戻さずに、捩れ部４と同じ状態のままでグリップ部としてもよい。この場合には、指や手のひらが延設部３の板側縁に接触することになり、その接触感が気になる場合には、指や手のひらに接触した際の感触を良くするためには、延設部３にカバー部材などを被せるようにしてもよい。
【００４８】
第１開栓部１１の内周面には、滑り防止用として凹凸の係止面を形成してもよい。
【００４９】
グリップ部７を外側に曲げて中栓用開栓部１３を形成したが、曲げ方向はこの方向に限られるものではなく、内側や別の方向でもよい。約９０°曲げたが、中栓を開けるに適した角度であればよく、この角度に限られるものではない。また、この実施形態では中栓用開栓部１３を曲げる一方、プルトップ用開栓部１４は曲げてないけれど、中栓用開栓部１３とプルトップ用開栓部１４の両方共に曲げなくてもよく、或いは両方共に曲げてもよい。
【００５０】
孔部８には、紐を通して吊り下げるようにしてもよく、携帯ストラップ等のような飾りを取り付けてもよい。或いは、孔部８を無くしてもよい。
【００５１】
切欠き部５は、円弧状に限られるものではなく、当接部６が形成されればよいものであり、楕円形、矩形状等の他の形状でもよい。なお、矩形状切欠き部の場合、その隅角部に応力が集中することを避ける必要があるときは、この部分にアール（丸み）を付ければよい。また、矩形状の切欠き部構造として、６角形のボルトの頭を回すネジ回しとして機能するようにしてもよい。切欠き部５の大きさは左右で同じであるが、必ずしも同じでなく、異なった大きさとしてもよい。
【００５２】
実施形態１では、簡単な構造で、プルトップ式容器のオープナー、ビン、紙容器類のねじ式キャップのオープナー、調味料容器の中栓のオープナー等として広く使用できる。
【００５３】
（実施形態２）
実施形態２について、図９に基づいて説明する。図９は、実施形態１の図１と同様な図を示す。実施形態２では、実施形態１と異なる部分のみ説明し、同じ部分の説明は省略する。実施形態２では、一方の捩れ部４には実施形態１と同じく２つの当接部６，６が形成されているが、他方の捩れ部４には１つの角張った当接部６１のみが設けられている点が、実施形態１とは異なる。一方の捩れ部４の２つの当接部６，６の間の部分と他方と当接部６１とが相対し、これら３点の当接部６，６、６１でねじ式キャップを挟持するようにしたものである。当接部６１の両側の切欠き部５１は、滑らかに湾曲した凹形状として、破損し難くしている。この実施形態２では、キャップ外周面に対する接触点が３点であり、当接部６、６と当接部６１との位置がずれているので、軽い力でもねじ式キャップをよく挟持することができる。また、ねじ式キャップがペットボトルのキャップ等のような比較的柔らかい樹脂製等でなく、金属製のねじ式キャップであって、開栓に比較的に大きな回転力を必要とする、或いはより大きな挟持力を必要とする場合に、実施形態２は好適である。実施形態２では、蓋開け器１を、当接部６、６と当接部６１とによって、ビール瓶等の王冠型口がねの開栓、すなわち、栓抜きとして使用することも可能である。
【００５４】
（実施形態３）
実施形態３について、図１０に基づいて説明する。図１０は、実施形態１の図１と同様な図を示す。実施形態３では、実施形態１と異なる部分のみ説明し、同じ部分の説明は省略する。実施形態３は、他方の捩れ部４に形成する当接部６２の構成が実施形態１とは異なる。即ち、他方の捩れ部４には、切欠き部５を形成せずに、内側の板側縁４ａに三角波状の凹凸を有する当接部６２を形成している。この場合には、直径が異なる種々のねじ式キャップの開栓に利用することができ、汎用性が高い。実施形態３では、蓋開け器１を、当接部６、６と当接部６２とによって、ビール瓶等の王冠型口がねの開栓、すなわち、栓抜きとして使用することも可能である。
【００５５】
（実施形態４）
実施形態４について、図１１に基づいて説明する。図１１は、実施形態１の図１と同様な図を示す。実施形態４では、実施形態１と異なる部分のみ説明し、同じ部分の説明は省略する。実施形態４では、一方の延設部３には捩れ部４を形成するが、他方の延設部３には、捩れ部を形成してなくて、別の形態の当接部６３を形成している点が、実施形態１と異なる。即ち、他方の延設部３に、断面略半円形の当接部６３を形成している点である。この場合には、当接部６３全体が、ねじ式キャップの外周に接触するので、滑り止めを設けることが好ましい。実施形態１や２に比較して、他方の延設部３については、捩じり工程及び捩じり戻す工程が不要となる点で、製造工程を簡素化できる。また、他方の延設部３には捩れ部が無いので握りやすい利点も有する。
【００５６】
また、蓋開け器１を、当接部６３と当接部６、６とによって、ビール瓶等の王冠型口がねの開栓、すなわち、栓抜きとして使用することも可能である。この場合、当接部６３の円弧形状の両端部を王冠型口がねの上に被せ、当接部６、６を王冠型口がねの縁に掛け、蓋開け器１を捩ることで開栓することができる。
【００５７】
（実施形態５）
実施形態５について、図１２に基づいて説明する。図１２は、実施形態１の図１と同様な図を示す。実施形態５では、実施形態１と異なる部分のみ説明し、同じ部分の説明は省略する。実施形態５では、第１開栓部１１にその周方向に延びるスリット１５を設けて、第１開栓部１１を曲がり易くして、老人や子供等の力の弱い人でも、軽い力で蓋開け器１を操作できるようにしている点が、実施形態１とは異なる。
【００５８】
なお、スリットの長さ、大きさ、位置等は、素材の材質、強度や厚さ等によって異なるものであり、操作力に適した所定の値に調整すればよい。スリットは、１カ所でもよいが、数カ所に設けてもよい。
【００５９】
（実施形態６）
実施形態６について、図１３に基づいて説明する。図１３は、実施形態１の図１と同様な図を示す。実施形態６では、実施形態１と異なる部分のみ説明し、同じ部分の説明は省略する。実施形態６では、２つの延設部３，３各々に両端が当接部６となった切欠き部５を２つ設けた点が、実施形態１と異なる。第１開栓部１１に近い側の切欠き部５を小さく、第１開栓部１１から遠い側の切欠き部５を大きく形成して、直径の異なるキャップにも広く利用できるようにしている。また、キャップの直径によっては、大小どちらの切欠き部５，５でも使用できる場合がある。その場合には、操作する人の握り易さや操作し易さから、どちらかの切欠き部５を選択して使用すればよい。
【００６０】
なお、実施形態６では、各延設部３の２つの切欠き部５，５を異なる大きさにしたが、同じ大きさであってもよく、逆に第１開栓部１１に近い側の切欠き部５を大きく、第１開栓部１１から遠い側の切欠き部５を小さくしてもよい。また、各延設部３の切欠き部５は、２つに限らず、３つ以上設けてもよい。また、一方の延設部３の切欠き部５と他方の延設部の切欠き部５とは、異なる大きさにしてもよい。また、第１開栓部１１に近い側及び遠い側のいずれか一方、又は両方に関して、切欠き部５は一方の延設部のみに設けて、他方の延設部には切欠き部を設けてないようにしてもよい。
【００６１】
実施形態６では、第１開栓部１１に近い側の切欠き部５とグリップ部７との距離が比較的長くなるので、グリップ部７，７に加える把持力を軽くしても、その切欠き部６の両端の当接部６をねじ式キャップＣ１に強く押し当てることができる。
【００６２】
（実施形態７）
実施形態７について、図１４に基づいて説明する。図１４は、実施形態１の図１と同様な図を示す。実施形態７では、実施形態１と異なる部分のみ説明し、同じ部分の説明は省略する。実施形態７では、切欠き部５及び当接部６を２段にして設けた点が、実施形態１と異なる。即ち、各延設部３に大径の切欠き部５３と小径の切欠き部５２とを２段に設け、小径切欠き部５２の両端に当接部６２を設けるとともに、大径切欠き部５３の両端に当接部６３を設けている。この場合には、大径のキャップに対しては当接部６３を当接させ、小径のキャップに対しては当接部６２を当接させて、開栓操作できる。
【００６３】
実施形態７では、延設部３の長さを長くしなくても、径の異なる各種のキャップの開栓に広く利用できる。なお、一方の延設部３のみに、大径の切欠き部５３及び小径の切欠き部５２を設けて、他方の延設部３には大径の切欠き部５３のみ、或いは小径の切欠き部５２のみを設けるようにしてもよい。実施形態７は実施形態６の大径切欠き部の部位に適用することも可能である。
【００６４】
（実施形態８）
実施形態８について、図１５に基づいて説明する。図１５は、第１開栓部１１の部分を示す正面図である。他の構成は、実施形態１の図１と同様であり同じ部分の説明は省略する。実施形態８では、第１開栓部１１を曲がり易くするために、第１開栓部１１の円弧部を、板厚が薄い薄肉部１１１で形成した点が、実施形態１と異なる。この実施形態８では、第１開栓部１１が曲がり易く、力の弱い老人や子供等の使用に適している。
【００６５】
なお、薄肉部１１１の板厚は、他の厚肉部１１２の半分程度になっているが、この厚さに限られるものではない。また、薄肉部１１１と厚肉部１１２とを、周方向において交互に複数設けるようにすることも可能である。
【００６６】
実施形態８の薄肉部１１１は、実施形態５の図１２に示すスリット１５の代わりに設けてもよく、実施形態５の図１２に示すスリット１５に係る構成に追加する構成として設けてもよい。
【００６７】
（実施形態９）
実施形態９について、図１６及び図１７に基づいて説明する。図１６は、実施形態１の図１と同様な図を示す。実施形態９では、実施形態１と異なる部分のみ説明し、同じ部分の説明は省略する。実施形態９では、第１開栓部１１に栓抜き構造を設けた点が、実施形態１と異なる。即ち、第１開栓部１１の中央の周方向に延びる側縁部を切り起こし、すなわち、約９０゜折り曲げて折曲げ部１７を形成している。また、第１開栓部１１から内側に捩れて捩れ部４に繋がる部分４１の一部が切除され、捩れ部４の当該切除部分に臨む縁が、栓抜きのための支点部４２を形成している。なお、中栓用開栓部１３とプルトップ用開栓部１４を、実施形態１とは逆の配置にしてもよいので、この実施形態９では逆の配置構成とした。
【００６８】
実施形態９の栓抜き構成部分を、ビール瓶の栓抜きとして使用した状態を図１７に基づいて説明する。なお、図１７において、折曲げ部１７がビール瓶Ｂ４の栓（王冠型口がね）Ｃ４の下端部Ｃ４１に係合する状態を判り易くするために、蓋開け器１は中央で左右に分割した断面図で示した。
【００６９】
使用時には、図１７に示すように、ビール瓶Ｂ４の栓Ｃ４の縁Ｃ４１に折曲げ部１７を係合させ、支点部４２を栓Ｃ４の上面に接触させる。そして、支点部４２を支点にして、図１７において、時計方向に蓋開け器１を回転させる。これにより、折曲げ部１７が持ち上げられ、栓Ｃ４の縁Ｃ４１が一緒に持ち上げられて、栓Ｃ４がビール瓶Ｂ４から外れる。
【００７０】
なお、実施形態９では、板材の内側に捩れた部分４１を一部切除したが、その切除は必ずしも要さず、省略することも可能である。即ち、捩れ部４或いは延設部３をそのまま口がねＣ４の上面に当てる支点部として使用するようにしてもよい。
【００７１】
（実施形態１０）
実施形態１０について、図１８及び図１９に基づいて説明する。図１８は、実施形態１の図１と同様な図を示す。実施形態１０では、実施形態１と異なる部分のみ説明し、同じ部分の説明は省略する。実施形態１０では、実施形態９と同じく、第１開栓部１１に栓抜き構造を設けた点が、実施形態１と異なる。即ち、第１開栓部１１から内側に捩れて捩れ部４に繋がる部分４１の一部が切除されて、捩れ部４の当該切除部分に臨む縁が、栓抜きのための係合部４３を形成している。また、第１開栓部１１側の当該切除部分に臨む縁が、栓抜きのための支点部４２ａを形成している。なお、中栓用開栓部１３とプルトップ用開栓部１４を、実施形態１と逆の配置にしてもよいので、この実施形態９では逆の配置構成とした。
【００７２】
実施形態１０の栓抜き構成部分を、ビール瓶の栓抜きとして使用した状態を図１９に基づいて説明する。なお、図１９において、蓋開け器１は中央で左右に分割した断面図で示した。
【００７３】
使用時には、図１９に示すように、ビール瓶Ｂ４の栓（王冠型口がね）Ｃ４の縁Ｃ４１に係合部４３を係合させ、第１開栓部１１に設けた支点部４２ａを栓Ｃ４の上面に接触させる。そして、栓Ｃ４の上面に接触した支点部４２ａを支点にして、図１９において、反時計方向に蓋開け器１を回転させる。これにより、係合部４３が持ち上げられ、栓Ｃ４の縁Ｃ４１が一緒に持ち上げられて、栓Ｃ４がビール瓶Ｂ４から外れる。
【００７４】
なお、実施形態１０において、第１開栓部１１に、実施形態９の折曲げ部１７のような構造を形成して、支点部を設けるようにしてもよい。また、第１開栓部１１から内側に捩れて捩れ部４に繋がる部分４１の一部を切除して、係合部４３及び支点部４２ａを形成したが、その切除範囲を第１開栓部１１の全領域まで拡大し、第１開栓部１１の中央部を支点部とするようにしてもよい。即ち、第１開栓部１１の板幅を延設部３の板幅の半分にするということである。この実施形態では、係合部４３を形成して、第１開栓部１１に支点を設けることで、栓抜きとして利用できることを述べているものであり、係合部４３及び支点部４２ａの構造は上述した構造に限られない。
【００７５】
（実施形態１１）
実施形態１１について、図２０及び図２１に基づいて説明する。図２０は、実施形態１の図１と同様な図を示す。実施形態１１では、実施形態１と異なる部分のみ説明し、同じ部分の説明は省略する。実施形態１１では、中栓用開栓部１３に栓抜き構造を設けた点が、実施形態１と異なる。即ち、中栓用開栓部１３の先端を更に第１開栓部１１の方に向かうように略直角に折り曲げて、係合部１３ａを形成している。
【００７６】
実施形態１１の栓抜き構成部分を、ビール瓶の栓抜きとして使用した状態を図２１に基づいて説明する。使用時には、図２１に示すように、ビール瓶Ｂ４の栓（王冠型口がね）Ｃ４の縁Ｃ４１に係合部１３ａを係合させ、捩れ部４を栓Ｃ４の上面に接触させる。そして、栓Ｃ４の上面に接触した捩れ部４を支点にして、図２１において、時計方向に蓋開け器１を回転させる。これにより、係合部１３ａが持ち上げられ、栓Ｃ４の縁Ｃ４１が一緒に持ち上げられて、栓Ｃ４がビール瓶Ｂ４から外れる。
【００７７】
なお、実施形態１１では、係合部１３ａを中栓用開栓部１３に設けたが、これに限られるものではなく、プルトップ用開栓部１４に係合部１３ａのような係合部を形成してもよい。
【００７８】
係合部１３ａは第１開栓部１１の方に向かうように折り曲げられているが、反対側に向けて折り曲げて形成してもよい。なお、係合部１３ａを中栓用開栓部として使用するようにしてもよい。或いは、グリップ部７の先端側を縦割りにして、その一方の側を中栓用開栓部１３とし、他方の側を折り曲げて係合部１３ａとすることも可能である。
【００７９】
なお、栓抜きは、上述した構造に限られるものではなく、他の構造でもよい。また、上記した実施形態では、実施形態１の構成に栓抜き構造を付加して構造として説明したが、上記した栓抜き構成は、実施形態１に限らず他の実施形態に付加した構成としてもよい。
【００８０】
（他の実施形態）
図２２は、第１開栓部１１の近傍部分の変形例を示す側面図であって、第１開栓部１１を曲がりやすくした例、或いは剛性アップした例を示す。
【００８１】
図２２（Ａ）は実施形態５の図１２に示すスリット１５を有する蓋開け器を示す。スリット１５は、第１開栓部１１に板幅の中央部分に設けられ、曲がり易くなっている。なお、この構造は、実施形態５として図１２に基づいて説明したものであり、ここでは詳細な説明を省略する。他の実施形態との比較のために図２２（Ａ）を説明したものである。
【００８２】
図２２（Ｂ）は、スリット１５の代わりにリブ１６を設けた別の実施形態を示している。この別の実施形態は、実施形態５と逆に第１開栓部の曲げ強度を強くしたものである。即ち、実施形態５では、第１開栓部１１の強度を弱くして曲げやすくしているが、この図２２（Ｂ）の別の実施形態では、延設部３を比較的曲がり易くして、第１開栓部１１を比較的高強度にして寿命をアップさせるようにしたものである。リブ１６は、中央に１筋で設けているが、この構造に限られるものではなく、リブの位置や大きさ、数量は適切に設ければよいものである。
【００８３】
図２２（Ｃ）は、実施形態５のスリットの代わりに、板材本体２の板幅を半減して、第１開栓部１１を曲がりやすくした他の実施形態を示す。なお、板幅は、半減するのではなく、他の幅にしてもよく、すなわち、適切に設定すればよい。
【００８４】
図２２（Ｄ）は、実施形態５のスリットの代わりに、板材本体２の板幅の両側部分を削減して、第１開栓部１１を曲がりやすくしたさらに他の実施形態を示す。
【００８５】
以上のように、第１開栓部１１の変形例は、様々な構成とすることとができるものであり、上記実施形態の構造に限られるものではない。
【００８６】
なお、上記実施形態では全て第１開栓部を設けたが、円弧状部２を第１開栓部として使用せずに、単に弾性的な曲げ支点としてのみ使用するようにしてもよい。更に、中栓用開栓部やプルトップ用開栓部を設けなくて、延設部を単なるグリップ部としてもよい。
【００８７】
また、２つの相対する捩れ部４，４の捩る方向は、実施形態に限られるものではなく、どの方向でもよいものであって、例えば両捩れ部４，４を互いに同じ方向に捩ってもよく、それぞれ逆方向に捩ってもよい。グリップ部７も捩れ部４から元の方向に捩じり戻しているが、どの方向でもよいものであって、例えば同じ方向に捩じってもよいし、一方のみ異なる方向に捩って戻してもよい。
【００８８】
また、上記各実施形態は、互いに他の実施形態と組み合わせることも可能である。
【００８９】
また、中栓用開栓部１３やプルトップ用開栓部１４の先端は、ネジ回し（ドライバー又はスパナ）を構成するように形成してもよい。
【００９０】
蓋開け器の材質としては、鉄鋼、ステンレス、アルミ材等の金属製の板材、合成樹脂製の板材等が可能である。
【００９１】
蓋開け器の表面には、防錆剤、装飾材、手に持った時の触感をよくするための表面処理材等をメッキやコーティング等の表面処理法で被覆してもよく、或いは、別の表面部材を一部に或いは全体に被せるようにしてもよい。
【産業上の利用可能性】
【００９２】
本発明は、缶ビ−ル、ジュ−ス等を詰めたプルトップ缶、ジュ−ス、ドリンク剤等を詰めた容器のねじ式キャップ、調味料ボトルの中栓等を容易に開けることができる蓋開け器に適用可能である。また、瓶ビールの栓抜きに使用するように構成することもできる。
【符号の説明】
【００９３】
１          蓋開け器
２          板材本体
３          延設部
４          捩れ部
５          切欠き部
６          当接部  
７          グリップ部
８          孔部
１１        第１開栓部
１２        第２開栓部
１３        中栓用開栓部
１４        プルトップ用開栓部
１５        スリット
１６        リブ
１７        折曲げ部
【図１】
0005396384.tif 000002
【図２】
0005396384.tif 000003
【図３】
0005396384.tif 000004
【図４】
0005396384.tif 000005
【図５】
0005396384.tif 000006
【図６】
0005396384.tif 000007
【図７】
0005396384.tif 000008
【図８】
0005396384.tif 000009
【図９】
0005396384.tif 000010
【図１０】
0005396384.tif 000011
【図１１】
0005396384.tif 000012
【図１２】
0005396384.tif 000013
【図１３】
0005396384.tif 000014
【図１４】
0005396384.tif 000015
【図１５】
0005396384.tif 000016
【図１６】
0005396384.tif 000017
【図１７】
0005396384.tif 000018
【図１８】
0005396384.tif 000019
【図１９】
0005396384.tif 000020
【図２０】
0005396384.tif 000021
【図２１】
0005396384.tif 000022
【図２２】
0005396384.tif 000023